(57)【要約】      （修正有）【課題】多様な内径サイズを有する吸引ノズルであっても気密に接合することができ、且つバルブにも気密に接合することができる圧縮袋用吸引ノズルアタッチメントを提供する。【解決手段】圧縮袋用吸引ノズルアタッチメント１は、全体が筒状体に形成されており、吸引ノズル接合部２とバルブ接合部４とからなり、吸引ノズル接合部２の開口端２１から最大外径部３に向かって外径が漸次拡大するとともに、最大外径部３からバルブ接合部４の開口端４１に向かって外径が漸次縮小する。バルブ接合部４の開口端４１は、バルブの上部表面のアタッチメント当接部に当接して気密に接合する。【選択図】図１
0003230216.tif 000002
【実用新案登録請求の範囲】
【請求項１】
圧縮袋内の空気を吸引する際に使用するバルブと電気掃除機その他の吸引器具の吸引ノズルとの間に連結するアタッチメントであって、全体が筒状体に形成されており、吸引ノズル接合部とバルブ接合部とからなり、前記吸引ノズル接合部の開口端から最大外径部に向かって外径が漸次拡大するとともに、前記最大外径部から前記バルブ接合部の開口端に向かって外径が漸次縮小することを特徴とする圧縮袋用吸引ノズルアタッチメント。
【請求項２】
前記バルブ接合部の開口端は、前記バルブの上部表面のアタッチメント当接部に当接して気密に接合することを特徴とする請求項１に記載の圧縮袋用吸引ノズルアタッチメント。
【請求項３】
前記吸引ノズル接合部と前記バルブ接合部は、弾性部材で一体形成されていることを特徴とする請求項１又は請求項２に記載の圧縮袋用吸引ノズルアタッチメント。
【請求項４】
前記吸引ノズル接合部の開口端の外径を２０ｍｍ〜２６ｍｍ、前記バルブ接合部の開口端の外径を３７ｍｍ、前記最大外径部の外径を４５ｍｍ〜５８ｍｍの範囲に設定したことを特徴とする請求項１乃至請求項３に記載の圧縮袋用吸引ノズルアタッチメント。
【請求項５】
前記吸引ノズル接合部の長さを７５ｍｍ〜１２７ｍｍの範囲、前記バルブ接合部の長さを１８ｍｍに設定したことを特徴とする請求項１乃至請求項４に記載の圧縮袋用吸引ノズルアタッチメント。
【考案の詳細な説明】
【技術分野】
【０００１】
本考案は、圧縮袋内の空気を吸引する際に使用するバルブと電気掃除機その他の吸引器具の吸引ノズルとの間に連結する圧縮袋用吸引ノズルアタッチメントに関する。
【０００２】
圧縮袋内の空気を吸引する際に使用する吸引ノズルアタッチメント又はアダプターに関する先行技術については、以下のような発明又は考案が提案されている。
【０００３】
実用新案登録第３２１４１９４号公報（特許文献１）には、布団圧縮袋を電気掃除機で吸引する際、多様な形状の吸引ノズルであっても、確実に吸引できる「布団圧縮袋用アタッチメント」が提案されている。
【０００４】
また、特開２００７−３２７２３号公報（特許文献２）には、空気を容易に放出させることができ、かつ、逆止効果が良好で構成が簡易な逆止弁を提供する「逆止弁、アダプター及び圧縮袋」が提案されている。
【０００５】
また、実用新案登録第３１２５７２２号公報（特許文献３）には、電気掃除機を用いて行なうふとん圧縮袋やゴミ袋等からの空気抜き作業を、電気掃除機の故障を招くことなく連続的に行なうことを可能ならしめる「脱気用アダプター」が提案されている。
【０００６】
また、特開２００８−１８８２９０号公報（特許文献４）には、ふとん圧縮袋のような密閉手段を備えているものに限らず、広く袋一般に適用可能で、脱気作業時に収納物が吸引機具のホースの吸入口を閉塞するおそれがなく、脱気終了後にホースを引き抜くと同時に開口部が自動的に閉塞されるために空気流入のおそれがない「袋内脱気用アダプター」が提案されている。
【０００７】
また、特開２００１−１３７１６０号公報（特許文献５）には、掃除機のホースの先端に着脱自在に取り付けられ、圧縮付袋内に前部を挿入し、空気流入孔からの空気量を調整することにより吸引力を低下させることな く、かつ掃除機に余分な負荷をかけることなく、中の空気を抜くことができる「圧縮袋用吸引具」が提案されている。
【先行技術文献】
【特許文献】
【０００８】
【特許文献１】実用新案登録第３２１４１９４号公報
【特許文献２】特開２００７−３２７２３号公報
【特許文献３】実用新案登録第３１２５７２２号公報
【特許文献４】特開２００８−１８８２９０号公報
【特許文献５】特開２００１−１３７１６０号公報
【考案の概要】
【考案が解決しようとする課題】
【０００９】
本考案は、多様な内径サイズを有する吸引ノズルであっても気密に接合することができ、且つバルブにも気密に接合することができる圧縮袋用吸引ノズルアタッチメントを提供することを目的とする。
【課題を解決するための手段】
【００１０】
上記の課題を解決するために、請求項１に記載の考案は、圧縮袋内の空気を吸引する際に使用するバルブと電気掃除機その他の吸引器具の吸引ノズルとの間に連結するアタッチメントであって、全体が筒状体に形成されており、吸引ノズル接合部とバルブ接合部とからなり、前記吸引ノズル接合部の開口端から最大外径部に向かって外径が漸次拡大するとともに、前記最大外径部から前記バルブ接合部の開口端に向かって外径が漸次縮小することを特徴とする。
【００１１】
また、請求項２に記載の考案は、請求項１に記載の前記バルブ接合部の開口端は、前記バルブの上部表面のアタッチメント当接部に当接して気密に接合することを特徴とする。
【００１２】
また、請求項３に記載の考案は、請求項１又は請求項２に記載の前記吸引ノズル接合部と前記バルブ接合部は、弾性部材で一体形成されていることを特徴とする。
【００１３】
また、請求項４に記載の考案は、請求項１乃至請求項３に記載の前記吸引ノズル接合部の開口端の外径を２０ｍｍ〜２６ｍｍ、前記バルブ接合部の開口端の外径を３７ｍｍ、前記最大外径部の外径を４５ｍｍ〜５８ｍｍの範囲に設定したことを特徴とする。
【００１４】
また、請求項５に記載の考案は、請求項１乃至請求項４に記載の前記吸引ノズル接合部の長さを７５ｍｍ〜１２７ｍｍの範囲、前記バルブ接合部の長さを１８ｍｍに設定したことを特徴とする。
【考案の効果】
【００１５】
以上のように、本考案にかかる圧縮袋用吸引ノズルアタッチメントによれば、吸引ノズル接合部を電気掃除機等の吸引ノズルの先端部に挿入して気密に接合することができるとともに、バルブ接合部の開口端は圧縮袋のバルブの上部表面のアタッチメント当接部に当接して気密に接合すことができる。そのため、吸引漏れが発生することがなく、圧縮袋を確実に圧縮することができる。また、多様な内径サイズを有する吸引ノズルであっても気密に接合することができるので、既存の電気掃除機その他の吸引器具の吸引ノズルに対応することができる。
【図面の簡単な説明】
【００１６】
【図１】本考案にかかる圧縮袋用吸引ノズルアタッチメントの第１実施例（標準サイズ）を示す正面図である。
【図２】図１の第１実施例（標準サイズ）を示す平面図である。
【図３】図１の第１実施例（標準サイズ）を示す底面図である。
【図４】図１の第１実施例（標準サイズ）を示す断面図である。
【図５】図１の第１実施例（標準サイズ）を示す参考正面図である。
【図６】本考案にかかる圧縮袋用吸引ノズルアタッチメントに接合するバルブの平面図である。
【図７】本考案にかかる圧縮袋用吸引ノズルアタッチメントの使用状態（分解）を示す参考図である。
【図８】本考案にかかる圧縮袋用吸引ノズルアタッチメントの使用状態（吸収）を示す参考図である。
【図９】本考案にかかる圧縮袋用吸引ノズルアタッチメントの第２実施例（最大サイズ）を示す（ａ）正面図、（ｂ）平面図、（ｃ）底面図である。
【図１０】本考案にかかる圧縮袋用吸引ノズルアタッチメントの第３実施例（最小サイズ）を示す（ａ）正面図、（ｂ）平面図、（ｃ）底面図である。
【考案を実施するための形態】
【００１７】
以下、本考案の実施の形態について図面を参酌しながら説明する。ここで、本考案にかかる圧縮袋用吸引ノズルアタッチメントの各構成については、以下の実施例に限定されるものではなく、使用状況によって適宜変更することができる。
【００１８】
図１は、本考案にかかる圧縮袋用吸引ノズルアタッチメントの第１実施例（標準サイズ）を示す正面図、図２は平面図、図３は底面図、図４は断面図、図５は参考正面図である。図１乃至図５に示すように、圧縮袋用吸引ノズルアタッチメント１は、圧縮袋内の空気を吸引する際に使用するバルブと電気掃除機その他の吸引器具の吸引ノズルとの間に連結するアタッチメント（又はアダプター）であって、全体形状が弾性部材（弾力性を有する合成樹脂等）で筒状体（厚さ：１ｍｍ程度）に一体形成されており、吸引ノズル接合部２とバルブ接合部４とから構成される。
【００１９】
また、第１実施例（標準サイズ）の圧縮袋用吸引ノズルアタッチメント１は、図５に示すように、吸引ノズル接合部２（Ｌ１：９１ｍｍ）の開口端２１（外径：２６ｍｍ）から最大外径部３（外径：５２ｍｍ）に向かって外径が漸次拡大するとともに、最大外径部３からバルブ接合部４（Ｌ２：１８ｍｍ）の開口端４１（外径：３７ｍｍ）に向かって外径が漸次縮小することを特徴とする。
【００２０】
また、バルブ接合部４の開口端４１は、図６に示すバルブ６の上部表面のアタッチメント当接部６１（外径：３７ｍｍ）に当接して気密に接合する。そのため、使用状態（分解／吸引）を示す図７及び図８に示すように、第１実施例（標準サイズ）の圧縮袋用吸引ノズルアタッチメント１は、多様な内径サイズ（内径：３０ｍｍ〜５０ｍｍ）を有する吸引ノズルであっても気密に接合することができ、且つバルブにも気密に接合することができるため、吸引漏れが発生することがなく、圧縮袋を確実に圧縮することができる。
【００２１】
図９は、本考案にかかる圧縮袋用吸引ノズルアタッチメントの第２実施例（最大サイズ）を示す（ａ）正面図、（ｂ）平面図、（ｃ）底面図である。
第２実施例（最大サイズ）の圧縮袋用吸引ノズルアタッチメント１は、上述した第１実施例（標準サイズ）と同様に全体形状が弾性部材（弾力性を有する合成樹脂等）で筒状体（厚さ：１ｍｍ程度）に一体形成されており、吸引ノズル接合部２とバルブ接合部４とから構成される。一方、第２実施例（最大サイズ）の圧縮袋用吸引ノズルアタッチメント１は、図９（ａ）に示すように、吸引ノズル接合部２（Ｌ１：１２７ｍｍ）の開口端２１（外径：２６ｍｍ）から最大外径部３（外径：５８ｍｍ）に向かって外径が漸次拡大するとともに、最大外径部３からバルブ接合部４（Ｌ２：１８ｍｍ）の開口端４１（外径：３７ｍｍ）に向かって外径が漸次縮小することを特徴とする。また、バルブ接合部４の開口端４１は、上述した第１実施例（標準サイズ）と同様に図６に示すバルブ６の上部表面のアタッチメント当接部６１（外径：３７ｍｍ）に当接して気密に接合する。そのため、使用状態（分解／吸引）を示す図７及び図８に示すように、第２実施例（最大サイズ）の圧縮袋用吸引ノズルアタッチメント１は、多様な内径サイズ（内径：３０ｍｍ〜５６ｍｍ）を有する吸引ノズルであっても気密に接合することができ、且つバルブにも気密に接合することができるため、吸引漏れが発生することがなく、圧縮袋を確実に圧縮することができる。
【００２２】
図１０は、本考案にかかる圧縮袋用吸引ノズルアタッチメントの第３実施例（最小サイズ）を示す（ａ）正面図、（ｂ）平面図、（ｃ）底面図である。
第３実施例（最小サイズ）の圧縮袋用吸引ノズルアタッチメント１は、上述した第１実施例（標準サイズ）と同様に全体形状が弾性部材（弾力性を有する合成樹脂等）で筒状体（厚さ：１ｍｍ程度）に一体形成されており、吸引ノズル接合部２とバルブ接合部４とから構成される。一方、第３実施例（最小サイズ）の圧縮袋用吸引ノズルアタッチメント１は、図１０（ａ）に示すように、吸引ノズル接合部２（Ｌ１：７５ｍｍ）の開口端２１（外径：２０ｍｍ）から最大外径部３（外径：４５ｍｍ）に向かって外径が漸次拡大するとともに、最大外径部３からバルブ接合部４（Ｌ２：１８ｍｍ）の開口端４１（外径：３７ｍｍ）に向かって外径が漸次縮小することを特徴とする。また、バルブ接合部４の開口端４１は、上述した第１実施例（標準サイズ）と同様に図６に示すバルブ６の上部表面のアタッチメント当接部６１（外径：３７ｍｍ）に当接して気密に接合する。そのため、使用状態（分解／吸引）を示す図７及び図８に示すように、第３実施例（最小サイズ）の圧縮袋用吸引ノズルアタッチメント１は、多様な内径サイズ（内径：２３ｍｍ〜４３ｍｍ）を有する吸引ノズルであっても気密に接合することができ、且つバルブにも気密に接合することができるため、吸引漏れが発生することがなく、圧縮袋を確実に圧縮することができる。
【００２３】
以上のとおり、本考案にかかる圧縮袋用吸引ノズルアタッチメント１の外形は、吸引ノズル接合部２（Ｌ１：７５ｍｍ〜１２７ｍｍの範囲）の開口端２１（外径：２０ｍｍ〜２６ｍｍ）から最大外径部３（外径：４５ｍｍ〜５８ｍｍの範囲）に向かって外径が漸次拡大するとともに、最大外径部３からバルブ接合部４（Ｌ２：１８ｍｍ）の開口端４１（外径：３７ｍｍ）に向かって外径が漸次縮小するよう所定の形状に形成される。
【符号の説明】
【００２４】
１  圧縮袋用吸引ノズルアタッチメント
２  吸引ノズル接合部
２１  開口端
３  最大外径部
４  バルブ接合部
４１  開口端
５  圧縮袋
６  バルブ
６１  アタッチメント当接部
７  吸引ノズル
【図１】
0003230216.tif 000003
【図２】
0003230216.tif 000004
【図３】
0003230216.tif 000005
【図４】
0003230216.tif 000006
【図５】
0003230216.tif 000007
【図６】
0003230216.tif 000008
【図７】
0003230216.tif 000009
【図８】
0003230216.tif 000010
【図９】
0003230216.tif 000011
【図１０】
0003230216.tif 000012